(57)【特許請求の範囲】
【請求項１】
作孔ハンマであって、工具ホルダ（１３）及び、ケーシング（１１）内に設けられモータで駆動される打撃装置（１６）を有し、該打撃装置がハンマ管（１５）内に軸方向で往復駆動可能な打撃体（１７）を有し、該打撃体が打撃運転時に打撃力を中間ハンマ体（１８）に作用させ、かつ該中間ハンマ体がハンマ管（１５）内の、打撃体（１７）と工具ホルダ（１３）内へ挿入可能な工具シャフト（２５）との間に配置されていてハンマ管（１５）に対してある限度内で軸方向に移動可能であり、かつこの移動可能性が打撃体（１７）に向う軸方向で軸方向ストッパ（４５）によって制限されている形式のものにおいて、軸方向ストッパ（４５）が、シャフト部分（４７，６５）を有し該シャフト部分がハンマ管（１５）の壁中の所属の切欠き（５３，５８）内に係合する少なくとも１つのストッパエレメント（４１）から形成されていることを特徴とする、作孔ハンマ。
【請求項２】
中間ハンマ体（１８）が、工具ホルダ（１３）により近く位置する円筒形の案内部分（１９）及び、該案内部分（１９）よりも小さい直径の、打撃体（１７）により近く位置する円筒形の突出部（２０）を有しており、かつ突出部（２０）の外周に中間ハンマ体（１８）の反動を吸収するダンパ装置（２１）が配置されており、該ダンパ装置が軸方向ストッパ（４５）の他に、ストッパリング（４４）及び、該ストッパリング（４４）と中間ハンマ体（１８）との間にある変形性の緩衝体（４３）を有していることを特徴とする、請求項１記載の作孔ハンマ。
【請求項３】
切欠きが軸方向で制限された縦長の溝（５８）により形成されていることを特徴とする、請求項１又は２記載の作孔ハンマ。
【請求項４】
少なくとも１つのストッパエレメント（４１）の少なくとも１つのシャフト部分（４７，６５）がストッパリング（４４）自体と一体に形成されていることを特徴とする、請求項２記載の作孔ハンマ。
【請求項５】
少なくとも１つのストッパエレメント（４１）がヘッド部分（４６）を有し、該ヘッド部分がハンマ管（１５）の外周面に相応して湾曲しておりかつシャフト部分（４７）と一体成形されており、かつシャフト部分（４７）が切欠き（５３，５８）中をこれに係合して内側へ貫通しており、かつヘッド部分（４６）側とは反対側のシャフト部分端部が、ストッパリング（４４）のための軸方向ストッパ（４５）を形成していることを特徴とする、請求項１から３までのいずれか１項記載の作孔ハンマ。
【請求項６】
少なくとも１つのストッパエレメント（４１）が環状の固定薄板（４９）により半径方向で固定されており、該固定薄板がストッパエレメント（４１）のヘッド部分（４６）の範囲においてそれぞれ１つの半径方向外側へ突出した、ヘッド部分（４６）を受容する拡張部（５６）を有しており、かつストッパエレメント（４１）をハンマ管（１５）の周方向で取囲んでいることを特徴とする、請求項５記載の作孔ハンマ。
【請求項７】
ピンのヘッド部分（４６）に、ハンマ管（１５）の周方向でみて、溝（５２）が設けられており、該溝内に環状の固定リング（５１）が配置されていることを特徴とする、請求項４記載の作孔ハンマ。
【請求項８】
ハンマ管（１５）の外周（３２）に少なくとも１つの係止エレメント（３１）が配置されていて、該係止エレメントによりハンマ管（１５）がケーシング（１１）に対して軸方向移動不能若しくは回動不能に、及び又はさらに別の構造部分がハンマ管（１５）に対して、固定されており、かつ少なくとも１つの係止エレメント（３１）が１つのシャフト部分（３４）を有し、該シャフト部分がハンマ管（１５）中の所属の切欠き（３５）内へ係合していることを特徴とする、請求項１記載の作孔ハンマ。
【請求項９】
少なくとも１つの係止エレメント（３１）が固定薄板（３６）により半径方向で固定されており、該固定薄板が係止エレメント（３１）のヘッド部分（３３）の範囲にそれぞれ１つの半径方向外側へ向いた、ヘッド部分（３３）を受容する拡張部（５６）を有していて係止エレメント（３１）をハンマ管（１５）の周方向で取囲んでいることを特徴とする、請求項８記載の作孔ハンマ。
【請求項１０】
ヘッド部分（３３）若しくは固定薄板（３６）に歯（７０，７５）が設けられていて、該歯が、ケーシング（１１）に回動不能に固定可能である対応する歯（７６）と係合可能であることを特徴とする、請求項８又は９記載の作孔ハンマ。
【発明の詳細な説明】
【０００１】
【産業上の利用分野】
本発明は請求項１の上位概念部に記載の形式の作孔ハンマに関する。
【０００２】
【従来の技術】
このような形式の作孔ハンマであって、ハンマ管の環状溝内に嵌込まれた固定リングが中間ハンマ体のための軸方向ストッパを形成しているものは既に公知である（ＤＥ第３８２８３０９Ａ１号）。この場合、ハンマ管の外周面にさらに別の固定リングがハンマ管の環状溝内に配置されており、該リングが作孔ハンマのケーシングに対してハンマ管を軸方向で不動に固定する若しくはさらに別の構造部分をハンマ管に対して軸方向で不動に固定するために役立つ。環状のリング溝のところでのハンマ管管壁横断面の減少及びノッチ効果に基づき、特に高い作業能力を有する作孔ハンマにおいて殊に、ハンマ管の破損を生じることがある。この欠点は排除されなければならない。
【０００３】
【発明が解決しようとする課題】
本発明の課題は従来の作孔ハンマにおける上記の欠点を排除することにある。
【０００４】
【課題を解決するための手段】
上記の課題は本発明によれば請求項１記載の特徴を有する手段によって解決されている。
【０００５】
【発明の効果】
請求項１記載の特徴を有する本発明の作孔ハンマは、従来の作孔ハンマに対して、中間ハンマ体が、ハンマ管の同じ壁横断面において、ハンマ管に対して著しく安全確実にかつハンマ管破損のおそれなしに、固定可能である利点を有している。また、請求項８記載の特徴を有する作孔ハンマは、ハンマ管若しくはさらに別の構造部分をケーシングに対して固定するために環状リング溝を必要としない。
【０００６】
従属形式請求項に記載された手段によれば請求項１に記載された作孔ハンマの有利な発展及び改良がえられる。
【０００７】
【実施例】
図１において符号１で示されている作孔ハンマはケーシング１１を有し、該ハンマには把手１２が取付けられている。把手１２とは反対側にはケーシング１１から工具ホルダ１３が突出していて、該工具ホルダ内には工具１４が装着されている。ケーシング１１の内部には、工具１４を回転駆動及び又は打撃駆動するための詳細には図示されていない駆動モータがある。
【０００８】
図２には作孔ハンマ１０のハンマ管１５の半部が断面図で示されている。ハンマ管１５は打撃装置１６の打撃体１７を軸方向で移動可能に受容している。打撃体１７は任意の打撃駆動装置、例えばＤＥ第３８２８３０９Ａ１号明細書から公知である揺動板駆動装置、を介して、ハンマ管１５内において軸方向で往復に駆動される。打撃体１７には中間ハンマ体１８が接続しており、これは打撃体１７に対して整列しており、打撃体１７はこの中間ハンマ体１８に、作孔ハンマ１０の打撃作動時に、軸方向の打撃力を与える。中間ハンマ体１８には工具１４（図１）の工具シャフト２５が接続し、この工具シャフトは、ハンマ管１５に一体に結合している、工具ホルダ１３（図１）の工具受容部２６内に挿入されている。中間ハンマ体１８は案内部分１９（この案内部分で中間ハンマ体はハンマ管１５内で案内される）を有し、かつ打撃体１７に向って円筒形の突出部２０を有しており、該突出部には打撃反力を吸収するダンパ装置２１が装着されている。
【０００９】
図示の実施例ではハンマ管１５は駆動モータにより、図示されていない伝動装置を介して、回転駆動可能でありかつケーシング１１内の支承部（これらのうちの１つの転がり軸受３０が例示的に示されている）に回転可能に支承されている。工具受容部２６は細長い条片状の回転連行体２７（キー）を有し、これは、工具１４を一緒に連行して回転させるため、工具シャフト２５内に加工された相応する回転連行溝２８（キー溝）に係合している。
【００１０】
図２の実施例では、ハンマ管１５はケーシング１１に対して軸方向で移動不能である。ハンマ管１５を軸方向で固定するためハンマ管１５の外周に分配された複数のピン状のエレメントが役立ち、これらは係止エレメント３１として製作されている。図３にはこれらの係止エレメント３１の１つが示されている。係止エレメント３１はハンマ管１５の外壁３２に相応して湾曲したヘッド部分３３及びこれと一体に成形された円筒形のシャフト部分３４を有している。係止エレメント３１はそれぞれハンマ管１５に、シャフト部分３４が相応する切欠き、この場合孔３５内へ侵入しヘッド部分３３がハンマ管１５の外周面３２に当接するように、配置されている。この位置で係止エレメントは後述するリング状固定薄板３６により半径方向で移動不能に保持される。係止エレメント３１は従ってハンマ管１５に不動に結合された、ハンマ管１５をケーシング１１に対して固定するために役立つ着力点をなす。このようにしてハンマ管１５は係止エレメント３１を介して転がり軸受３０に支持され、該軸受はケーシング１１の環状の肩３８に当接している。反対方向でハンマ管１５は係止エレメント３１及びディスク３９並びにばねリング４０を介してやはりケーシング１１に支持されている。係止エレメント３１によればさらに別の構造部分、例えばばね、歯車等をハンマ管１５に固定することもできる。
【００１１】
さらに別のピン状のエレメントがストッパエレメント４１として構成されている。該ストッパエレメント４１はダンパ装置２１の一部であり中間ハンマ体１８のための軸方向ストッパ４５を形成する。ダンパ装置２１は中間ハンマ体１８の打撃反力の吸収に役立ち、ストッパリング４４、リング体４２及び、ストッパリング４４とリング体４２との間の変形可能な材料から成る緩衝体４３を有している。ストッパリング４４は打撃体１７に向って軸方向でストッパエレメント４１を介してケーシング１１に支持されている。図４には、ハンマ管１５の外周面３２に周方向に配置されている複数のストッパエレメントの１つ４１が示されている。ストッパエレメント４１は図３の係止エレメント３１と著しく類似の構造を有し、外壁３２に相応して湾曲したヘッド部分４６及びこれと一体に成形されたシャフト部分４７を有している。しかしシャフト部分４７は半径方向に長く延長されていてハンマ管１５の壁を貫通してハンマ管１５の内部へ侵入しており、この場合ヘッド部分４６とは反対側のシャフト部分端部にストッパリング４４に対する偏平な当接面４８を有している。当接面４８はストッパリング４４のための、及びダンパ装置２１を介して中間ハンマ体１８のための軸方向ストッパ４５を形成する。ストッパエレメント４１はやはり固定薄板４９により半径方向で固定されている。固定薄板４９はヘッド部分４６の範囲にそれぞれ１つのスリット５０を有し、該スリットに環状の固定リング５１が係合している。この固定リング５１はストッパエレメント４１のヘッド部分４６の、半径方向外側中心にハンマ管１５の周方向に延びている溝５２（図４）内に配置されている。
【００１２】
図５は図２のＶ−Ｖ線による断面図である。ストッパエレメント４１のシャフト部分４７はハンマ管１５内の孔５３内に挿入されている。ハンマ管１５内の半径方向内側にはシャフト部分４７の当接面４８が侵入している。固定薄板４９は円筒形横断面の範囲から、ストッパエレメント４１のヘッド部分４６の範囲で半径方向外側へ突出した拡張部５６を有し、該拡張部内にヘッド部分４６が受容されている。ストッパエレメント４１はさらに付加的に固定リング５１により半径方向で固定される。図５の実施例では２つのストッパエレメント４１が互いに１８０°ずらして配置されている（図示せず）。しかしさらに多くの、例えば全部で４つの、互いに９０°ずつずらして配置されたストッパエレメント４１を設けることも可能である。係止エレメント３１（図２及び３）は図５の場合と類似の形式で固定薄板３６によって固定されているが、しかしここでは付加的な固定リングは設けられていない。
【００１３】
図６はダンパ装置２１の別の実施例を示している。図２の実施例と異なり、シャフト部分４７を有するストッパエレメント４１は、長孔５８として製作された切欠き内に配置されている。この構成は例えば、中間ハンマ体１８が、打撃装置の作用をカットする目的で、打撃体１７とは反対側の調節位置へ移されるようにする場合に有利である。ヘッド部分４６とハンマ管１５の外周３２との間に摺動スリーブ５９が配置され、このスリーブには例えば把手をストッパエレメント４１を移動させるために設けることができる。ストッパリング４４はこの実施例では軸方向に広幅になっていて、シャフト部分４７の当接面４８が係合する環状溝６０を有している。
【００１４】
図７にはダンパ装置２１の第３の実施例が示されており、この場合ストッパリング４４自体がピン状のストッパエレメント６４を有している。全部で２つの、互いに反対側にあるシャフト部分６５（図面にはこれらのうちのたんに１つが半割の断面図で示されている）はストッパリング４４に一体成形されていて半径方向外側へ延びている。該シャフト部分６５は長孔５８を貫通してこれと共に軸方向ストッパ４５を形成している。ハンマ管１５の外周面３２の半径方向に位置する端部６６は、図示されていない移動用把手の係合着力点として役立つ。
【００１５】
図８には図７のストッパリング４４の一部が示されており、これは半径方向外側へ向いている円筒形のシャフト部分６５を有している。
【００１６】
図９は長孔５８を有するハンマ管１５の部分的平面図である。ハンマ管１５の内部にはストッパリング４４が破線で示されており、該リングの、この例では偏平部６７を有するシャフト部分６５が長孔５８内へ係合している。図７〜９のストッパリング４４を組付ける場合、該ストッパリングはハンマ管１５内へ傾けて挿入され長孔５８内で起こされる。
【００１７】
図１０の一実施例では、図２及び３の係止エレメント３１は、ハンマ管１５を軸方向で固定する他にさらに、これを周方向でもケーシング１１に対して固定している。この構成は、ハンマ管１５を回転駆動する必要がなくハンマ管１５をケーシング１１に対して回動不能にする（例えば純然たるハンマビットとして使用する）場合に、必要である。周方向での係止エレメント３１の固定は固定薄板３６によって行われ、該薄板は図５の場合と同様に係止エレメント３１のヘッド部分３３と拡張部３６で取囲んでいる。固定薄板３６はその工具受容部２６側に歯７０を有し、該歯はケーシングに対して不動のフランジ７１の対応する歯と常時係合している。フランジ７１はねじ７２でケーシング１１にねじ止めされている。この形式でハンマ管１５は持続的に周方向で回動不能に固定される。
【００１８】
図１１に示されているロック装置７４の実施例は複数の係止エレメント３１を有しており、それらのうちの１つが図面では示されている。係止エレメント３１やはり固定薄板３６を介して固定されている。係止エレメント３１の、工具受容部２６側とは反対側に歯７５が製作されている。この歯７５は図示のロック位置では切換スリーブ７７の歯７６と係合している。切換スリーブ７７自体は、歯付きディスク７８が一方ではその係止歯７９で対応する歯７６に係合しかつ他方では外歯８０を介してケーシング１１に対して回動不能に結合していることにより、作孔ハンマのケーシング１１に対して回動不能に固定されている。切換スリーブ７７はハンマ管１５に対して軸方向に移動可能でありかつ一方においてはばね８１により工具受容部２６に向って付勢されており、その結果歯７５及び７６は互いに係合した状態に保持される。切換スリーブ７７は他方ではフランジ８２で切換つまみ８４の切換突起８３に当接し、該切換つまみはケーシング１１内に回転可能に保持されておりかつその回転軸線は前記切換突起に対して偏心している。切換つまみ８４が１８０°回わされることによって切換突起８３はその反対側の偏心位置へ回わされ、これにより切換スリーブ７７はばね８１の力に抗して移動せしめられ、歯７５と７６との係合が外される。ハンマ管１５はこの場合ケーシング１１に対して自由に回転することができる。この場合歯７５及び７６の歯数に応じてハンマ管１５はそれぞれ異った回動位置に移されかつ切換つまみ８４を介してケーシング１１に対してロックされる。
【００１９】
図示の全ての実施例においては同一の部分若しくは同じ働きをする部分は同じ符号で示されている。
【図面の簡単な説明】
【図１】作孔ハンマの側面図。
【図２】図１の作孔ハンマのハンマ管を通る断面図。
【図３】作孔ハンマのケーシングにハンマ管を結合するための本発明のピン状のエレメントを示す図。
【図４】軸方向ストッパとして役立つピン状エレメントを示す図。
【図５】図２のＶ−Ｖ線による断面図。
【図６】ハンマ管の部分的断面図。
【図７】ピン状エレメントの別の一実施例を示す図。
【図８】図７のピン状エレメントを示す図。
【図９】図７のピン状エレメントを示す図。
【図１０】ケーシングに対してハンマ管を固定するためのピン状エレメントの別の一実施例を示す図。
【図１１】ケーシングに対してハンマ管を固定するためのピン状エレメントのさらに別の一実施例を示す図。
【符号の説明】
１１    ケーシング
１３    工具ホルダ
１５    ハンマ管
１６    打撃装置
１７    打撃体
１８    中間ハンマ体
１９    案内部分
２０    突出部
２１    ダンパ装置
２５    工具シャフト
３０    転がり軸受
３１    係止エレメント
３２    （ハンマ管の）外周
３３    ヘッド部分
３４    シャフト部分
３５    切欠き（孔）
３６    固定薄板
４１    ストッパエレメント
４３    緩衝体
４４    ストッパリング
４５    軸方向ストッパ
４６    ヘッド部分
４７    シャフト部分
５１    固定リング
５２    溝
５３    切欠き
５６    拡張部
７０    歯
７５    歯
７６    対応する歯
【図１】
0003761209.tif 000002
【図２】
0003761209.tif 000003
【図３】
0003761209.tif 000004
【図４】
0003761209.tif 000005
【図５】
0003761209.tif 000006
【図６】
0003761209.tif 000007
【図７】
0003761209.tif 000008
【図８】
0003761209.tif 000009
【図９】
0003761209.tif 000010
【図１０】
0003761209.tif 000011
【図１１】
0003761209.tif 000012